(57)【特許請求の範囲】
【請求項１】
内部に駆動力を発生させるファンモータとファン及びサイクロン集塵部などが備えられ、外側面には車が備えられる掃除機本体と、前記本体と連結され、各種の異物を吸入する吸入口体と、前記吸入口体と本体との間に設けられる吸入ホース及び延長管と、前記本体の後方の一側に着脱可能に備えられ、箱の後方の外側面に取っ手が備えられた集塵箱と、前記本体の下部面に設けられるローラキャスターとを含む吸引掃除機において、
掃除機本体の前方側が上側踏み板のエッジに掛けられた状態で前記集塵箱取っ手の把持部の下側が車が位置した踏み板面に当接するように、車の外側に出るように形成される一方、前記掃除機本体の前方側の下部面の両側に前記上側踏み板のエッジに掛けられるようにするローラキャスターが備えられ、階段の掃除のときに前記掃除機の本体が階段の下部に滑り落ちることなく、車が位置した踏み板面に止まれるようにしたことを特徴とする吸引掃除機。
【請求項２】
前記集塵箱に備えられる取っ手の把持部の下側には滑り止めのための滑り止め部が備えられることを特徴とする請求項１記載の吸引掃除機。
【請求項３】
前記滑り止め部の凹凸形態は断面でみて三角形が繰り返される形態をなすことを特徴とする請求項２記載の吸引掃除機。
【請求項４】
前記滑り止め部が形成された取っ手の把持部の下側と集塵箱の外側面とのなす角度は３０°〜６０°の範囲内で形成されることを特徴とする請求項２又は３記載の吸引掃除機。
【請求項５】
前記滑り止め部が形成された取っ手の把持部の下側と集塵箱の外側面とのなす角度は４５°であることを特徴とする請求項４記載の吸引掃除機。
【請求項６】
前記集塵箱に備えられる取っ手は、
一定の間隔に離隔され、並列に長手方向に形成される左右両側壁部と、前記左右両側壁部の内側端部とを連結する後壁部からなり、
前記取っ手の把持部の下側には取っ手の長手方向に沿って一定の間隔に離隔して形成されると共に、前記取っ手の左右両側壁部の外側に突出して、前記取っ手の強度補強及び階段掃除のときに本体の滑り止めのための摩擦力を提供する複数のリブが形成されることを特徴とする請求項１記載の吸引掃除機。
【請求項７】
前記取っ手の把持部の下側に形成されるリブの先端部が掃除機の本体が水平な底面に置かれた時、前記底面と並列に水平方向になるようにリブが形成されることを特徴とする請求項６記載の吸引掃除機。
【請求項８】
前記リブは取っ手の製造時に金型の脱がれが容易となるよう垂直方向に形成されることを特徴とする請求項６記載の吸引掃除機。
【請求項９】
前記取っ手のユーザが把持する部分の後壁部の内側の中心には取っ手の長手方向に沿って補強用リブが備えられることを特徴とする請求項６記載の吸引掃除機。
【請求項１０】
前記取っ手の左右の両側壁部の先端から内側には前記取っ手の把持が容易となされるようにする把持片が更に形成されることを特徴とする請求項６記載の吸引掃除機。
【請求項１１】
前記取っ手の把持部の下側は集塵箱と連結される下段部へ行くほどその幅がより広がるように形成されることを特徴とする請求項１又は６記載の吸引掃除機。
【請求項１２】
前記集塵箱の取っ手に、
階段の掃除のときに前記掃除機本体の前方側の下部面が上側踏み板のエッジに掛けられた状態で、踏み板面に当接して摩擦力を加えられる別のピースからなる部材が装着されることを特徴とする請求項１記載の吸引掃除機。
【請求項１３】
前記掃除機本体の前方側の下部面の両側ローラキャスターの後方領域に凹凸が繰り返して形成された滑り止め部を設け、階段の掃除のときに前記滑り止め部に形成された任意の凹部と階段のエッジとが適合するようにして、掃除機本体の滑り止めのために摩擦力が増大するようにしたことを特徴とする請求項１記載の吸引掃除機。
【発明の詳細な説明】
【０００１】
【発明の属する技術分野】
本発明は吸引掃除機に関し、より詳しくは階段の掃除のときにユーザが掃除機の本体を持ち上げなくても、階段の掃除が可能であるように構造を改善したものである。
【０００２】
【従来の技術】
一般的に、吸引掃除機は家屋内や車内又はその他の場所等を掃除するとき、真空吸入力を発生させ、その吸入力によって塵などの異物を除去する家電製品である。
【０００３】
このような吸引掃除機は、図１に示すように、基本的に内部に駆動力を発生させるファンモータと、ファン及びサイクロン集塵部など（図示せず）が備えられる掃除機本体１と、その本体１と連結され、掃除場の各種の異物を吸入する吸入口体２とで構成されている。
吸入口体２と本体１との間には、本体１の前方部に連結される吸入ホース３及び吸入口体２に連結される延長管４が連結されるように設けられる。
【０００４】
本体１の前方側の一側面には、塵と共に吸入口体２を介して吸入された空気の排出時にこれをフィルターリングして排出させるための排気フィルター５が設けられ、本体１の後方の両側面には車６が設けられている。この車６は、本体１が前後方向に揺動運動可能な構造で設けられている。本体１の下部面の前方側の中心にはユーザが本体１の方向を自由に調節して移動できるように、本体１を前後方向へ揺動させることができ、かつ水平面上で回転できるようにするローラキャスター７が一つ設けられる。
【０００５】
また、本体１の車６の間には集塵箱８が本体１から着脱可能な構造で設けられる。
この集塵箱８には集塵箱８の取り扱いのための取っ手８００が備えられる。
本体１の上部面上には本体１自体の取り扱いのための取っ手１００が備えられる。
【０００６】
このように構成された吸引掃除機は、掃除のための作動時に吸入口体２を介して塵などの異物を空気と共に吸入した後、サイクロン原理によって異物を空気から分離させ、集塵箱８へ送って集め、異物が除去された空気は排気フィルター５を経て外部に再び排出させる。
【０００７】
【発明が解決しようとする課題】
しかしながら、従来の吸引掃除機は、階段を上がりながら掃除を行う場合、本体１の重量によって本体１が階段の下側に滑り落ちようとする傾向がある。
すなわち、従来の吸引掃除機は集塵箱８に備えられた取っ手８００の形態的な特徴上、図２に示すように、掃除機本体の前方側が上側踏み板のエッジに掛けられても、車６が位置した踏み板面には取っ手８００が触れず、車６のみが触れるので、本体１が下の段に転がりやすい。
【０００８】
上記のように、掃除機は転がりやすくいため、車６の転落を防止するように別のウェッジ部材を支えない場合、ユーザは片手で掃除機本体１を持ち上げ、他の手では延長管４又は延長管４の取っ手４００を持った状態で階段を上がりながら掃除を行わなければならないという不具合があった。
【０００９】
そこで、本発明の目的は、吸引掃除機の構造を改善して、階段を掃除するときに吸引掃除機の本体が階段から滑り落ちることなく、階段に安定に止まるようにすることで、ユーザが本体を持ち上げなくても階段の掃除ができるようにすることである。
【００１０】
【課題を解決するための手段】
このような目的を達成するために、内部に駆動力を発生させるファンモータとファン及びサイクロン集塵部などが備えられ、外側面には車が備えられる掃除機本体と、前記本体と連結され、各種の異物を吸入する吸入口体と、前記吸入口体と本体との間に設けられる吸入ホース及び延長管と、前記本体の後方の一側に着脱可能に備えられ、箱の後方の外側面に取っ手が備えられた集塵箱と、前記本体の下部面に設けられるローラキャスターとを含む吸引掃除機である。また、本発明は、掃除機本体の前方側が上側踏み板のエッジに掛けられた状態で前記集塵箱取っ手の把持部の下側が車が位置した踏み板面に当接するように、車の外側に出るように形成される一方、前記掃除機本体の前方側の下部面の両側に前記上側踏み板のエッジに掛けられるようにするローラキャスターが備えられ、階段の掃除のときに前記掃除機の本体が階段の下部に滑り落ちることなく、車が位置した踏み板面に止まれるようにしたことを特徴とする。
【００１１】
【発明の実施の形態】
以下、本発明の実施形態を添付の図３〜図７に沿って詳細に説明する。
【００１２】
図３は本発明の吸引掃除機の外観を示す側面図であり、図４ａは図３のＡ部斜視図であり、図４ｂは図３の掃除機本体の底面の要部を示す平面図であり、図５は図３の吸引掃除機の本体が階段に掛けられた状態を示す側面図である。本発明実施形態は、内部に駆動力を発生させるファンモータとファン及びサイクロン集塵部などが備えられ、外側面には車６が備えられる掃除機本体１と、その本体１と連結され、各種の異物を吸入する吸入口体２と、その吸入口体２と本体１との間に設けられる吸入ホース３及び延長管４と、本体１の後方の一側に着脱可能に備えられ、箱の後方の外側面に取り扱いのための取っ手８００が備えられた集塵箱８と、本体１４の前後方向への揺動や水平面上での回転が可能であるように本体の下部面に設けられるローラキャスター７とを含む吸引掃除機である。
本実施形態は、掃除機本体１の前方側が上側踏み板のエッジに掛けられた状態で、集塵箱の取っ手８００の把持部の下側が車６の位置した踏み板面に触れるように、把持部の下側が車６の周辺より外側に出るように形成されている。また、掃除機本体１の前方側の下部面の両側には上側踏み板のエッジに掛けられるようになっているローラキャスター７が備えられている。本実施形態は、上記した集塵箱の取っ手の形状とローラーキャスタとによって掃除機本体１が階段の下部に滑り落ちることなく、車６が位置した踏み板に止まれるようにしてある。本実施形態おけるローラーキャスタは図４ｂに示すように二つ並べて設けている。
【００１３】
車６が位置する踏み板面に接する集塵箱の取っ手８００の把持部の下側には滑り止めのための滑り止め部８１０が備えられている。
この滑り止め部８１０の凹凸形態は、摩擦力が増大するよう幾何学的に三角形が繰り返される断面形態など様々な形態が考えられる。また、リブ形態でも形成できることはいうまでもない。要するに滑りに対する抵抗があればよい。ゴムなどを貼ったものでも良い。
【００１４】
滑り止め部８１０が形成された集塵箱の取っ手８００の把持部の下側と集塵箱８の外側面とのなす角度（α）は３０°〜６０°の範囲内にあることが好ましく、最も好ましくは４５°である。
取っ手８００の把持部の下側は集塵箱８と連結される下段部へ行くほどその幅が次第に広がるように形成される。
【００１５】
このように構成された本発明の作用は次の通りである。
【００１６】
本発明の吸引掃除機は、階段を上がりながら掃除を行う場合、掃除機本体１が階段の下部に滑り落ちようとするのを集塵箱取っ手８００が防ぐ役割を果たしている。
すなわち、本発明の吸引掃除機は、図５に示すように、掃除機本体１の前方側の下部面に両側に備えられたローラキャスター７が上側踏み板のエッジに掛けられた状態で、集塵箱８に備えられた取っ手８００の把持部の下側が車６の外側に出て、車６が位置した踏み板面に触れることにより、取っ手８００の下部側と、これに触れる踏み板面との摩擦力によって、掃除機本体１は階段の下部に滑り落ちることが防止される。
【００１７】
このとき、掃除機本体１の前方側の下部面に設けられたローラキャスター７は、前方側の下部面の中心部に一つのみ設けられていた従来とは異なり、下部面の左右両側に設けられているので、上側踏み板のエッジによる掃除機本体１に対する支持力を強化させることができる。さらに、掃除機本体１の前方左右側の均衡がとれることにより、掃除機本体１の倒れを防止して、より安定的に踏み板面に掛けておくことができる。
【００１８】
また、集塵箱取っ手８００の下側には滑り止め部８１０が備えられており、取っ手８００の下側と、これに触れる踏み板面との摩擦力が更に増大して、掃除機本体１が階段の下部に滑り落ちる現象をより確実且つ効果的に防止できる。
従って、本発明は階段の掃除のときに別のウェッジ部材を車６の下部に支えたり、ユーザが直接掃除機本体１を持ち上げなくても階段の掃除が可能となるという点で極めて便利である。
【００１９】
図６は本発明の他の実施形態の取っ手の部分の斜視図である。集塵箱８に備えられる本取っ手８００は、所定の幅で形成させた後壁部８６０と、その両縁でほぼ直角に立ち上がるように形成された側壁部８５０と、その先端部から後壁部８６０に平行に互いに近づくように形成された把持片８９０とを備えている。すなわち、一定間隔で離されて長手方向に並列に形成された側壁部の内側、すなわち箱側を後部壁８６０で連結している。その取っ手８００の把持部の垂直な箇所から本体側に折り曲げられている下側には側壁部８５０の間に複数のリブ８７０を渡して取り付けている。このリブ８７０を形成させた部分には後壁部８６０を形成させなくても良い。
【００２０】
取っ手８００の折り曲げ箇所から下側に形成されるリブ８７０は、取っ手８００の左右両側壁部８５０より外側に突出しており、その先端の並びが掃除機本体１が水平な底面に置かれた時、本体の底面と並列に並ぶように形成することが好ましい。このリブ８７０は取っ手８００の強度補強と階段の掃除のときに本体１の滑り止めの摩擦力を提供するためである。
また、本取っ手８００は上記のように板状の部材で構成させてあり、把持部８９０が下端部以外左右に分離されて形成させられている。補強のため、取っ手８００のユーザが把持する部分の後壁部の内側中心に取っ手の長手方向に沿って補強用リブ８８０が備えられる。もちろん完全な箱状にしても良い。また、板状部材ではなく中実部材で形成させても良い。
【００２１】
本実施形態においても、摩擦力を提供する複数のリブ８７０が形成される取っ手８００の把持部の下側は、集塵箱８と連結される下段部へ行くほどその幅が広がるように形成されることが好ましい。
このように構成された集塵箱取っ手８００の階段での掃除機本体１に対する滑り止め作用はすでに述べた先の例の場合と同様である。
【００２２】
すなわち、本発明は階段の掃除のとき、掃除機本体１の前方側の下部面の左右両側に設けられたローラキャスター７がそれぞれ上側踏み板のエッジに掛けられると共に、集塵箱取っ手８００の下部側に形成された複数のリブ８７０が車６の位置する踏み板面に触れることにより、掃除機本体１の滑り止めが可能であるように作用する。
【００２３】
特に、本実施形態による場合には、図５に示すように、掃除機本体１の前方側の下部面に設けられたローラキャスター７が上側踏み板のエッジに掛けられた状態で集塵箱８に備えられた取っ手８００の把持部の下側が車６の位置した踏み板面上に触れた時、取っ手８００の折り曲げ箇所の下部側に形成されるリブ８７０が階段の傾斜方向と同様に、車６の位置した踏み板面に対して略４５°傾いてウェッジ作用を行うので、掃除機本体１の滑り落ちる現象がより確実に防止される。
【００２４】
上記の作用と共に、本実施形態による集塵箱取っ手８００は、取っ手８００の製造に使われる材料を節減できるようにすると共に、取っ手８００の剛性を傾斜リブ８７０の存在しない時に比べてはるかに強化させることができる。
【００２５】
リブ８７０は取っ手８００の製造時に金型からの取り出し容易となるよう垂直方向に形成されても構わない。
そして、上記のように、集塵箱取っ手８００に一体に滑り止め部８１０が形成される変わりに、階段の掃除のときに掃除機本体１の前方側の下部面が上側踏み板のエッジに掛けられた状態で、踏み板面に触れて摩擦力を加えられる別のピースからなる部材（例：摩擦パッド）が取っ手８００に取り付けられるか締結されてもよいことは勿論である。
【００２６】
図７は本発明の吸引掃除機のさらに他の実施形態を示す側面図であって、掃除機本体１の前方側の下部面の両側のローラキャスター７の後方領域に凹凸が繰り返して形成された滑り止め部１１０を設け、階段の掃除のときにその滑り止め部の凹部と踏み板のエッジとが適合するようにすることで、掃除機本体１の滑り止めのための摩擦力を増大させることができる。
【００２７】
【発明の効果】
以上説明したように、本発明は吸引掃除機に滑り止めを形成させたので、階段の掃除のときに吸引掃除機本体１が階段から滑り落ちることを防止することができる。
これにより、ユーザは本発明掃除機本体１を持ち上げなくても階段の掃除を行えるので、吸引掃除機を用いた階段の掃除のときに便利さを提供することができ、更に、吸引掃除機に対するユーザの製品信頼性を向上させることができる。
【図面の簡単な説明】
【図１】従来の吸引掃除機の外観を示す側面図である。
【図２】図１の吸引掃除機の本体が階段に掛けられた状態を示す側面図である。
【図３】本発明の吸引掃除機の外観を示す側面図である。
【図４ａ】図３のＡ部斜視図である。
【図４ｂ】図３の掃除機本体の底面を示す要部平面図である。
【図５】図３の吸引掃除機の本体が階段に掛けられた状態を示す側面図である。
【図６】本発明による取っ手構造の他の実施形態を示す要部斜視図である。
【図７】本発明の吸引掃除機のまた他の実施形態を示す側面図である。
【符号の説明】
１：本体
１００：取っ手
１１０：滑り止め部
２：吸入口体
３：吸入ホース
４：延長管
４００：延長管の取っ手
５：排気フィルター
６：車
７：キャスター
８：集塵箱
８００：集塵箱の取っ手
８１０：滑り止め部
８５０：両側壁部
８６０：後壁部
８７０：リブ
８８０：補強用リブ
８９０：把持片
【図１】
0003598107.tif 000002
【図２】
0003598107.tif 000003
【図３】
0003598107.tif 000004
【図４ａ】
0003598107.tif 000005
【図４ｂ】
0003598107.tif 000006
【図５】
0003598107.tif 000007
【図６】
0003598107.tif 000008
【図７】
0003598107.tif 000009